(57)【要約】   【課題】 アッパーの外部表面への擦り傷、摩耗などを防ぎ、アッパーを為す合成皮革層が剥離して硬質補強層が露出することを防ぎ、容易に損傷を受けないＴＰＵ保護層を有する安全靴を提供する。  【解決手段】  一方の面が少なくとも１以上の底部に接続し、かつ甲部とアッパー部とを含んでなるとともに、該甲部の内部に、該甲部が衝撃を受けた場合に脚部を保護する硬質保護層を設け、該甲部の外部表面を該甲部の摩耗、又は剥離を防ぐＴＰＵ保護層で被覆し、該アッパー部の他方の面に足を入れて履くための履き口を形成してなる靴本体を具えてなる。【選択図】 図３
0003207308.tif 000002
【実用新案登録請求の範囲】
【請求項１】
一方の面が少なくとも１以上の底部に接続し、かつ甲部とアッパー部とを含んでなるとともに、該甲部の内部に、該甲部が衝撃を受けた場合に脚部を保護する硬質保護層を設け、該甲部の外部表面を該甲部の摩耗、又は剥離を防ぐＴＰＵ保護層で被覆し、該アッパー部の他方の面に足を入れて履くための履き口を形成してなる靴本体を具えてなること、を特徴とするＴＰＵ保護層を有する安全靴。
【請求項２】
前記ＴＰＵ保護層が、ジフェニルメタンジイソシアナート（ＭＤＩ）か、トリレンジイソシアネート（ＴＤＩ）などのジイソシアン酸エステル系分子と巨大分子多価アルコールと、鎖伸長剤としての低分子多価アルコールとを共重合反応させて形成することを特徴とする請求項１に記載のＴＰＵ保護層を有する安全靴。
【請求項３】
前記ＴＰＵ保護層が、さらに該アッパー部の外部表面を覆い、該靴本体の表面を保護することを特徴とする請求項１に記載のＴＰＵ保護層を有する安全靴。
【請求項４】
前記靴本体が合成皮革によってなることを特徴とする請求項１に記載のＴＰＵ保護層を有する安全靴。
【請求項５】
前記硬質保護層が、金属層か、ガラス繊維層を含むことを特徴とする請求項１に記載のＴＰＵ保護層を有する安全靴。
【考案の詳細な説明】
【技術分野】
【０００１】
この考案は安全靴に関し、特にＴＰＵ保護層を具え、甲部の摺り傷、摩耗、剥離などを防ぐＴＰＵ保護層を有する安全靴に関する。
【背景技術】
【０００２】
一般に、歩行の補助として、又は脚部を保護して外部環境による傷害から脚部を保護するために、人々は、例えば図１に開示する安全靴本体１を履く。よって、これらの効果が得られる。だが、従来の安全靴本体１は、合成皮革層１１を具え、かつ安全靴１内に硬質補強層１２を設ける。硬質補強層１２を設けることによって、人体の脚部が衝撃を受けて損傷を受けるという危険性を回避することができる。
【０００３】
然しながら、硬質補強層１２は、安全靴本体１の外部表面を保護することができない。人が安全靴本体１を履いて歩く場合、石、テーブルの脚、椅子の脚、又はその他個体物に当たることが常にあり、このため安全靴本体１の表面に擦り傷がついたり、摩耗したりする。ここから安全靴本体１が損傷を受け、甚だしくは穴が開いて、継続して使用することができなくなる。
【０００４】
硬質補強層１２が脚部を保護するだけで、安全靴本体１の表面の擦り傷を効率よく防ぐことができず、合成皮革層１１が衝突、又は擦り傷などによって容易に合成皮革層１１が剥離し、靴の前端部の内部に設けた硬質補強層１２（硬質の安全靴ヘッドであるために、金属、又はガラス繊維などの材質を用いる）が露出し、安全靴の基本的な機能を発揮できなくなる。この点が、改善を要する欠点である。
【考案の概要】
【考案が解決しようとする課題】
【０００５】
この考案は、アッパーの外部表面への擦り傷、摩耗などを防ぎ、アッパーを為す合成皮革層が剥離して硬質補強層が露出することを防ぎ、容易に損傷を受けないＴＰＵ保護層を有する安全靴を提供することを課題とする。
【課題を解決するための手段】
【０００６】
そこで、本考案者は従来の技術に見られる上述の欠点に鑑み鋭意研究を重ねた結果、靴本体が甲部とアッパー部とを含んでなり、該甲部には、内部に該甲部が衝撃を受けた場合に脚部を保護する硬質保護層を設けるとともに、外部表面を該甲部の摩耗、又は剥離を防ぐＴＰＵ保護層で被覆してなるＴＰＵ保護層を有する安全靴によって課題を解決できる点に着眼し、係る知見に基づき本考案を完成させた。
【０００７】
以下この考案について説明する。請求項１に記載するＴＰＵ保護層を有する安全靴は、一方の面が少なくとも１以上の底部に接続し、かつ甲部とアッパー部とを含んでなるとともに、該甲部の内部に、該甲部が衝撃を受けた場合に脚部を保護する硬質保護層を設け、該甲部の外部表面を該甲部の摩耗、又は剥離を防ぐＴＰＵ保護層で被覆し、該アッパー部の他方の面に足を入れて履くための履き口を形成してなる靴本体を具えてなる。
【０００８】
請求項２に記載するＴＰＵ保護層を有する安全靴は、請求項１における
ＴＰＵ保護層が、ジフェニルメタンジイソシアナート（ＭＤＩ）か、トリレンジイソシアネート（ＴＤＩ）などのジイソシアン酸エステル系分子と巨大分子多価アルコールと、鎖伸長剤としての低分子多価アルコールとを共重合反応させて形成する。
【０００９】
請求項３に記載するＴＰＵ保護層を有する安全靴は、請求項１におけるＴＰＵ保護層が、さらに該アッパー部の外部表面を覆い、該靴本体の表面を保護する。
【００１０】
請求項４に記載するＴＰＵ保護層を有する安全靴は、請求項１における靴本体が合成皮革によってなる。
【００１１】
請求項５に記載するＴＰＵ保護層を有する安全靴は、請求項１における硬質保護層が、金属層か、ガラス繊維層を含む。
【図面の簡単な説明】
【００１２】
【図１】従来の靴本体の構造を示した説明図である。
【図２】この考案による安全靴の外観を示した説明図である。
【図３】この考案による安全靴の構造を示した説明図である。
【図４】他の実施の形態による安全靴の構造を示した説明図である。
【考案を実施するための形態】
【００１３】
この考案は、アッパーの外部表面への擦り傷、摩耗などを防ぎ、アッパーを為す合成皮革層が剥離して硬質補強層が露出することを防ぎ、容易に損傷を受けないＴＰＵ保護層を有する安全靴を提供するものであって、靴本体が甲部とアッパー部とを含んでなり、該甲部には、内部に該甲部が衝撃を受けた場合に脚部を保護する硬質保護層を設けるとともに、外部表面を該甲部の摩耗、又は剥離を防ぐＴＰＵ保護層で被覆してなる。係るＴＰＵ保護層を有する安全靴の構造と特徴を説明するために、具体的な実施例を挙げ、図面を参照にして如何に詳述する、
【実施例】
【００１４】
図２、３に、この考案による安全靴の外観と、ＴＰＵ保護層の構造を開示する。図面に開示するようにこの考案による安全靴１は、一方の面に少なくとも１以上の底部３を接続した靴本体２を含んでなる。靴本体２は、甲部２１とアッパー部２２とを含む。甲部２１は内部に硬質保護層４を設けるとともに、外部表面をＴＰＵ保護層５で被覆する。アッパー部２２他方の面には、靴本体２に足を入れて履くための履き口２２１を形成する。
【００１５】
ＴＰＵ保護層５は、ジフェニルメタンジイソシアナート（ＭＤＩ）か、トリレンジイソシアネート（ＴＤＩ）などのジイソシアン酸エステル系分子と巨大分子多価アルコールと、低分子多価アルコール（鎖伸長剤）とを共重合反応させて形成する。
【００１６】
ＴＰＵ保護層５は、上述するように形成するとともに、さらにアッパー部２２の外部表面を覆い、靴本体２の表面を効率よく保護する。
【００１７】
甲部２１は、合成皮革によってなる。
【００１８】
硬質保護層４には、金属層か、もしくはガラス繊維層を含む。
【００１９】
図３に、この考案におけるＴＰＵ保護層５の構造を開示する。ＴＰＵ保護層５は熱可塑性ポリウレタン弾力性素材に属し、高い通気性を有する。このため、人体の汗などはＴＰＵ保護層５を介して容易に蒸発し、身体の乾燥した快適感を常時保持することができる。また、ＴＰＵ保護層５は、
防水性を具え、かつ擦り傷、摩耗に対する耐性、引き裂きに対する耐性、優れた曲げ強度、長期に渡る圧縮に対する低変形率などの特性を有する。このため、図面に開示するようにＴＰＵ保護層５で甲部２１の外部表面を覆い、甲部２１の内部には硬質防護層４を設ける。ＴＰＵ保護層５を設けることによって甲部２１の摩耗、剥離などを防ぐことができ、硬質保護層４によって人体の脚部を安全に保護することができる。
【００２０】
アッパー部２２の履き口２２１から脚部を入れて靴本体２を履き、歩行した場合、予期せず衝撃を受けたり、固い物体によって擦られたりした場合、ＣＰＵ保護層５によって甲部２１が保護されているため、甲部２１の表面への擦り傷、摩耗を防ぐ効果が得られる。また、硬質保護層４を設けることによって、甲部２１が衝撃を受けた場合に脚部が傷つく危険性を無くすことができる。
【００２１】
ＴＰＵ保護層５を設ける場合は、靴本体２を形成する前に、ＴＰＵ保護層を口部２１の表面に縫合して固定し、さらに高圧注入による底部３との一体成形で靴本体２を形成する。
【００２２】
図４に開示するように、ＰＴＵ防護層５がアッパー部２２の表面を覆うようにしてもよい。係る形態によって、アッパー部２２が擦れたり、摩耗したりすることを防ぎ、またアッパー部２２が剥離することを防ぐ効果が得られ、さらに効率よく靴本体２の表面を保護することができる。
【符号の説明】
【００２３】
１      安全靴本体
１１    合成皮革層
１２    硬質補強層    
２      靴本体
２１    甲部
２２    アッパー部
２２１  履き口
３      底部
４      硬質保護層
５      ＴＰＵ保護層        
【図１】
0003207308.tif 000003
【図２】
0003207308.tif 000004
【図３】
0003207308.tif 000005
【図４】
0003207308.tif 000006